(57)【要約】【課題】  ビデオレターなどのメッセージの保管を良好に秘密の状態に保ちつつ、葬儀の施行時には速やかに提供することができる個人データ管理システムを提供する。【解決手段】  ビデオレターなどの映像データ４２や遺影写真などの遺影データ４４をオフラインのデータ保存サーバ４０に保存し、前記データを記録されたＤＶＤ５２や遺影写真５４をキャビネット５０に収納することとしたので、故人のデータを、良好に秘密の状態に保つことができる。また、葬儀施行時には、前記ＤＶＤ５２や遺影写真５４を葬儀場に持参するとともに、オンラインの個人情報サーバ６０に保存してネット上でダウンロード可能としたので、ＤＶＤ５２に破損等が生じても、速やかにデータを提供することができる。【選択図】図１
2020177385.tif 000002
【特許請求の範囲】
【請求項１】
故人の生前におけるメッセージの映像データ及び／又は故人の遺影写真の遺影データを管理する故人データ管理システムであって、
前記映像データ及び／又は遺影データを、制作後、オフラインのサーバに保存するとともに、
葬儀施行中は、外部からアクセスできるように、前記映像データ及び／又は遺影データを、オンラインのサーバに保存することを特徴とする故人データ管理システム。
【請求項２】
前記映像データを記録媒体に保存し、及び／又は、前記遺影データをプリントアウトして遺影写真とし、前記記録媒体及び／又は前記遺影写真を、キャビネットに保管することを特徴とする請求項１記載の故人データ管理システム。
【請求項３】
前記メッセージの製作の依頼人が、冠婚葬祭互助会の会員もしくは会員制の葬儀社の会員であることを特徴とする請求項１又は２記載の故人データ管理システム。
【請求項４】
前記遺影写真を、前記記録媒体の納品時の遺族確認に使用することを特徴とする請求項２記載の故人データ管理システム。
【請求項５】
前記映像データ及び／又は遺影データをオンラインのサーバにアップロードするとともに、ＱＲコード（登録商標）を利用してダウンロード可能としたことを特徴とする請求項１〜４のいずれか一項に記載の故人データ管理システム。
【発明の詳細な説明】
【技術分野】
【０００１】
本発明は、ビデオレターや遺影などの故人データを管理する管理システムに関する。
【背景技術】
【０００２】
従来のレター管理システムとしては、例えば、下記特許文献１記載の「本人からのご挨拶データ保管システム」がある。これは、葬儀運営機関又は葬儀補助機関の会員や見込み客が、生前に自分の葬儀で参列者に伝えたい「本人からのご挨拶データ」の内容を、葬儀運営機関又は葬儀補助機関が見ることができないようにすることを目的としたもので、葬儀運営機関又は葬儀補助機関からのアクセスに、「本人からのご挨拶データ」の預け人の死亡情報又は葬儀の申し込み情報が含まれていた場合にのみ、「本人からのご挨拶の内容データ」を返信又は閲覧可能とするようにしたものである。
【先行技術文献】
【特許文献】
【０００３】
【特許文献１】特開2014-115964号公報
【発明の概要】
【発明が解決しようとする課題】
【０００４】
ところで、上述した背景技術によれば、ご挨拶データの保管システムが常時インターネットに接続されているため、必ずしも、セキュリティが高いとは言えず、データ流出の恐れがないとは言えない。
【０００５】
本発明は、以上のような点に着目したもので、ビデオレターなどのメッセージの保管を良好に秘密の状態に保ちつつ、葬儀の施行時には速やかに提供することができる故人データ管理システムを提供することを、その目的とする。
【課題を解決するための手段】
【０００６】
本発明は、故人の生前におけるメッセージの映像データ及び／又は故人の遺影写真の遺影データを管理する故人データ管理システムであって、前記映像データ及び／又は遺影データを、制作後、オフラインのサーバに保存するとともに、葬儀施行中は、外部からアクセスできるように、前記映像データ及び／又は遺影データを、オンラインのサーバに保存することを特徴とする。
【０００７】
主要な形態の一つは、前記映像データを記録媒体に保存し、及び／又は、前記遺影データをプリントアウトして遺影写真とし、前記記録媒体及び／又は前記遺影写真を、キャビネットに保管することを特徴とする。他の形態によれば、前記メッセージの製作の依頼人が、冠婚葬祭互助会の会員もしくは会員制の葬儀社の会員であることを特徴とする。更に他の形態によれば、前記遺影写真を、前記記録媒体の納品時の遺族確認に使用することを特徴とする。更に他の形態によれば、前記映像データ及び／又は遺影データをオンラインのサーバにアップロードするとともに、ＱＲコード（登録商標）を利用してダウンロード可能としたことを特徴とする。本発明の前記及び他の目的，特徴，利点は、以下の詳細な説明及び添付図面から明瞭になろう。
【発明の効果】
【０００８】
本発明によれば、ビデオレターなどの映像データや遺影写真などの遺影データをオフラインのデータ保存サーバに保存し、前記データを記録された記憶媒体や遺影写真をキャビネットに収納することとしたので、故人のデータを、良好に秘密の状態に保つことができる。また、葬儀施行時には、前記記憶媒体や遺影写真を葬儀会場に持参するとともに、ネット上でダウンロード可能としたので、記憶媒体に破損等が生じても、速やかにデータを提供することができる。
【図面の簡単な説明】
【０００９】
【図１】本発明の一実施例の全体構成を示すブロック図である。
【図２】前記実施例におけるビデオレター及び遺影写真の製作・保管の手順を示す図である。
【図３】前記実施例における預かり証の一例を示す図である。
【図４】前記実施例における葬儀の依頼からビデオレター等の納品までの手順を示す図である。
【図５】ビデオレターの一例を示す図である。
【図６】前記実施例にかかる会葬礼状の一例を示す図である。
【発明を実施するための形態】
【００１０】
以下、本発明を実施するための最良の形態を、実施例に基づいて詳細に説明する。
【実施例１】
【００１１】
図１には、本発明の一実施例の全体構成が示されている。同図に示すように、本実施例は、サービスを受ける互助会会員１０がビデオレターの作成を葬儀社２０に依頼し、ビデオレターをシステム管理者３０が作成・保管するシステムとなっている。互助会会員１０，葬儀社２０，システム管理者３０の間のやり取りは、電話，ファクシミリ，電子メール，郵便など、各種の適宜の手段としてよい。ビデオレターは、亡くなった故人が、葬儀に参列する家族，親族，友人，同僚，従業員等に対して向けたメッセージであり、必要に応じてＢＧＭ（背景音楽）や効果音などを付加してもよい。
【００１２】
互助会会員１０とは、冠婚葬祭互助会の会員である。冠婚葬祭互助会は、よく知られているように、結婚式や葬式などに備えて会費を積み立てていくシステムで、経済産業大臣から営業許可を得た結婚式場や葬儀社などが冠婚葬祭互助会事業を行っている。冠婚葬祭互助会に加入をした人は、葬儀に当たっては、自分が加入している互助会の葬儀社を使用すると考えられる。従って、故人のビデオレターが確実に施行会場の葬儀社施行担当者の元に届けられ、葬儀の場で上映できるようになる。なお、冠婚葬祭互助会の会員の代わりに、会員制の葬儀社の会員であってもよい。
【００１３】
次に、葬儀社２０は、互助会会員１０が死亡したときにその葬儀を施行する主体であり、互助会の会員管理サーバ２２を有している。会員管理サーバ２２には、各会員に関する特定情報２４が登録されており、管理データには、会員番号，住所，氏名，年齢，性別，顔写真，ビデオレターの有無などのデータが含まれている。
【００１４】
次に、システム管理者３０は、本実施例のレターサービスを提供する管理主体であり、データ保存サーバ４０，キャビネット（容器）５０，個人情報サーバ６０を備えている。これらのうち、データ保存サーバ４０は、ビデオレターなどの映像データ４２，遺影写真などの遺影データ４４などを、管理番号３２とともに保存しており、インターネット１００には接続されていない。キャビネット５０は、前記映像データ４４が記録されたＤＶＤ（光ディスク）５４，前記遺影データに基づいてプリントアウトされた遺影写真５６などを、管理番号３２とともに収納している。管理番号３２は、データ保存サーバ４０とキャビネット５０で共通となっている。個人情報サーバ６０には、映像データ４２とそのＤＶＤ５２と、遺影データ４４とその遺影写真５４を撮影した会員の会員番号，住所，氏名等の管理情報６２が保存されており、当該会員の映像データ４２とそのＤＶＤ５２や遺影データ４４とその遺影写真５４の管理番号３２が含まれている。なお、映像データ４２や遺影データ４４は、通常は個人情報サーバ６０には保存されておらず、上述したようにデータ保存サーバ４０に保存されている。そして、後述するように、葬儀施行時の一定期間のみ、個人情報サーバ６０にアップロードされるようになっている。
【００１５】
次に、図２〜図５も参照しながら、上記実施例の全体的な作用を説明する。図２には、ビオレターの発注から保管までの手順が示されている。まず、ビデオレターを残したい互助会会員１０は、所属する冠婚葬祭互助会の事業を行っている葬儀社２０に対して、ビデオレターの製作を依頼ないし発注する（ステップＳ１０）。注文を受けた葬儀社２０は、システム管理者３０に対して、ビデオレターの制作の依頼を行う（ステップＳ１２）。その際に、葬儀社２０は、会員管理サーバ２２を参照し、依頼した互助会会員１０の特定情報２４のうちの会員番号，氏名，などの情報も送信し、システム管理者３０は受領する（ステップＳ１４）。
【００１６】
システム管理者３０は、ビデオレターなどの製作を開始する（ステップＳ１６）。すなわち、互助会会員１０と日程調整を行い、ビデオレター用の動画の撮影や、葬儀時に使用する遺影用写真の撮影を行う（ステップＳ１８）。撮影後、システム管理者３０は、動画の編集を行い（ステップＳ２０）、完成した映像の内容を互助会会員１０に見せる。互助会会員１０は、映像の内容を確認し（ステップＳ２２）、システム管理者３０は了解を得る。なお、必要があれば、システム管理者３０は、映像の再編集を行う（ステップＳ２４）。
【００１７】
次に、システム管理者３０は、受領した互助会会員１０の情報を、個人情報サーバ６０に管理情報６２として登録するとともに（ステップＳ２６）、ビデオレターの映像を収めたＤＶＤ５２及びプリントアウトした遺影写真５４をセットにし、キャビネット５０に保管する（ステップＳ２８）。また、ビデオレターの映像データ４２と遺影写真の遺影データ４４をセットとして、オフライン設置されたデータ保存サーバ４０に格納する（ステップＳ３０）。前記ＤＶＤ５２及び遺影写真５４，映像データ４２及び遺影データ４４には、共通の管理番号３２が付され、これによって管理される。また、この管理番号３２は、個人情報サーバ６０に格納されている互助会会員１０の管理情報６２に付加される。
【００１８】
次に、システム管理者３０は、葬儀社２０に対してデータ格納終了通知を行い（ステップＳ３２）、葬儀社２０は、該当する会員番号の特定情報２４に「レター有り」の情報を追加登録する（ステップＳ３４）。終了後、葬儀社２０は、システム管理者３０に対して登録完了通知を行う（ステップＳ３６）。この登録完了通知は、例えば、会員管理サーバ２２に対して入力処理を行った担当者のサインを伴う書面とする。葬儀社２０からの登録完了通知をシステム管理者３０が受領すると（ステップＳ３８）、預かり証を互助会会員１０に対して送付する（ステップＳ４０）。
【００１９】
図３には、預かり証の一例が示されている。互助会会員１０は、この預かり証を受領することで、ＤＶＤ５２等がシステム管理者３０において保管されたことを確認することができる。預かり証を冠婚葬祭互助会の会員証とともに一緒に保管することで、葬儀を施行するときにビデオレターや遺影写真があることに遺族１２が気づくことができ、忘れることを防ぐことができる。以後、システム管理者３０は、互助会会員１０の死亡情報が葬儀社２０から通達されるまで、ＤＶＤ５２及び遺影写真５４，映像データ４２及び遺影データ４４を、漏洩なきように管理・保管する。
【００２０】
以上のように、システム管理者３０が管理するデータ等のうち、葬儀社２０が参照可能なものは、個人情報サーバ６０の管理情報６２のみである。葬儀社２０は、インターネット１００を経由して個人情報サーバ６０にアクセスし、システム管理者３０が予め発行したＩＤ・パスワードにて認証を行って、その葬儀社２０に該当する個人の管理情報６２を参照することができる。なお、管理情報６２には、例えば、会員番号，葬儀社名，氏名，ビデオレターや遺影写真の撮影日，性別，本人の顔写真，管理番号などが含まれている。データ保存サーバ４０は、インターネット１００に対してオフラインとなっているので、葬儀社２０はアクセスできない。
【００２１】
図４には、葬儀の依頼からビデオレター等の納品までの手順が示されている。同図において、互助会会員１０が死亡すると、その遺族１２は、葬儀社２０に対して葬儀の施行を依頼する（ステップＳ５０）。葬儀社２０は、遺族１２から受け取った死亡日時等の死亡情報を会員管理サーバ２２の特定情報２４に入力するとともに（ステップＳ５２）、葬儀施行の日時等を決定するとともに、当該故人のビデオレターがあるかどうかを確認する（ステップＳ５４）。
【００２２】
そして、ビデオレターがあるときは、葬儀社２０は、システム管理者３０の個人情報サーバ６０に対して、当該故人の葬儀の施行情報（施行日，施主名，喪主名，施行担当者名）を送信し（ステップＳ５６）、受領した個人情報サーバ６０は該当する管理情報６２に付加する（ステップＳ５８）。更に、個人情報サーバ６０は、システム管理者３０に対して、葬儀の施行情報を、管理番号３２とともに、メールなどにより通知する。するとシステム管理者３０は、管理番号３２から、キャビネット５０に保存されている該当する故人のＤＶＤ５２や遺影写真５４を、納品確認書とともに、葬儀会場の施行担当者に持参し（ステップＳ６０）、これを葬儀社２０の施行担当者は受領する（ステップＳ６２）。施行担当者は、受領したＤＶＤ５２等が故人のものであることを確認し、納品確認書にサインする。このとき、ＤＶＤ５２や遺影写真５４が故人本人のものかどうかを、前記遺影写真５４を遺族１２が参照することで確認するようにしてもよい。
【００２３】
一方、システム管理者３０は、データ保存サーバ４０から、該当する管理番号３２の映像データ４２及び遺影データ４４を個人情報サーバ６０にアップロードし（ステップＳ６４）、インターネット１００を通じて閲覧可能とする。閲覧可能期間は、例えば、葬儀の施行期間とする。なお、後述するように、葬儀終了後においても参列者へ公開を継続する場合は、この限りではない。そして、例えば、納品されたＤＶＤ５２などに破損等の不具合があった場合、葬儀社２０は、インターネット１００を通じて個人情報サーバ６０に緊急にアクセスし、該当する故人の映像データ４２，遺影データ４４をダウンロードする（ステップＳ６６）。これにより、葬儀社２０は、ダウンロードした映像データ４２，遺影データ４４を葬儀に使用することができる。図５には、ＤＶＤ５２に記録されているビデオレターの一例が示されており、これが葬儀会場で投影される。
【００２４】
このように、本実施例によれば、次のような効果が得られる。
ａ，ビデオレターなどの映像データ４２や遺影写真などの遺影データ４４をオフラインのデータ保存サーバ４０に保存し、前記映像データ４４が記録されたＤＶＤ５４や前記遺影データに基づいてプリントアウトされた遺影写真５６をキャビネット５０に収納することとしたので、故人のデータを、良好に秘密の状態に保つことができる。
ｂ，葬儀施行時には、ＤＶＤ５４や前記遺影データに基づいてプリントアウトされた遺影写真５６を葬儀会場に持参するとともに、ネット上でダウンロード可能としたので、ＤＶＤ５４の破損等が生じても、速やかにデータを提供することができ、葬儀の施行に支障が生ずることがない。
【００２５】
なお、本発明は、上述した実施例に限定されるものではなく、本発明の要旨を逸脱しない範囲内において種々変更を加えることができる。例えば、以下のものも含まれる。
(1)前記実施例では、ビデオレターと遺影写真を保管して葬儀で使用する場合を想定したが、ビデオレターのみでもよい。その他、例えば、以下のような態様も考えられる。
ａ，葬儀の参列者にＤＶＤを贈る。あるいはダウンロード可能とする。例えば、葬儀場もしくは会葬礼状にビデオレターをダウンロードするためのＱＲコード（登録商標）を用意し、これをスマートホンなどで読み取ることで、ビデオレターをダウンロードできるようにする。図６には、ＱＲコード（登録商標）を印刷した会葬礼状の一例が示されている。この場合、映像データ４２や遺影データ４４をオンラインのサーバにアップロードする。
ｂ，葬儀用とは別に、遺族用のビデオレターを用意し、それを記録したＤＶＤを葬儀時に遺族に渡す。あるいは、家族用，友人用などのそれぞれにビデオレターを用意し、該当する参列者に提供する。
ｃ，故人の遺影や戒名をディスプレイに表示するような室内お墓施設においてビデオレターや遺影写真を表示することができるように、葬儀後もデータを保管する。
(2)前記実施例では、ＤＶＤを利用したが、他の光ディスクや、ＵＳＢメモリ，メモリカードなど、各種の媒体を使用してもよい。これらの記憶媒体を、会葬御礼品に含めるようにしてもよい。
(3)通常葬儀場では、遺影写真を祭壇に掲げるが、デジタルフォトフレームを使用して遺影を表示するようにしてもよい。デジタルフォトフレームを使用すると、複数の遺影写真を表示することができる。
【産業上の利用可能性】
【００２６】
本発明によれば、ビデオレターなどの映像データや遺影写真などの遺影データをオフラインのデータ保存サーバに保存し、前記データを記録された記憶媒体や遺影写真をキャビネットに収納することとしたので、故人のデータを、良好に秘密の状態に保つことができる。また、葬儀施行時には、前記記憶媒体や遺影写真を葬儀場に持参するとともに、ネット上でダウンロード可能としたので、記憶媒体に破損等が生じても、速やかにデータを提供することができ、葬儀の施行におけるビデオレターの再生に好適である。
【符号の説明】
【００２７】
１０：互助会会員
１２：遺族
２０：葬儀社
２２：会員管理サーバ
２４：特定情報
３０：システム管理者
３２：管理番号
４０：データ保存サーバ
４２：映像データ
４４：遺影データ
５０：キャビネット
５４：遺影写真
５６：遺影写真
６０：個人情報サーバ
６２：管理情報
１００：インターネット
【図１】
2020177385.tif 000003
【図２】
2020177385.tif 000004
【図３】
2020177385.tif 000005
【図４】
2020177385.tif 000006
【図５】
2020177385.tif 000007
【図６】
2020177385.tif 000008
【手続補正書】
【提出日】令和2年3月23日(2020.3.23)
【手続補正１】
【補正対象書類名】特許請求の範囲
【補正対象項目名】全文
【補正方法】変更
【補正の内容】
【特許請求の範囲】
【請求項１】
故人の生前におけるメッセージの映像データを管理する故人データ管理システムであって、
葬儀社に設置されており、会員に関する情報と、前記映像データがあるときはその旨の情報とが、それぞれ登録される会員管理サーバ，
システム管理者にオフライン設置されており、前記故人の生前におけるメッセージの映像データが保存されるデータ保存サーバ，
前記システム管理者に設置されており、葬儀の施行期間は前記葬儀社もアクセス可能であって、前記故人の生前におけるメッセージの映像データを撮影した会員の管理情報を保存するとともに、葬儀施行時に前記故人の生前におけるメッセージの映像データが前記データ保存サーバからアップロードされる個人情報サーバ，
を備え，
このアップロードされる個人情報サーバは、インターネットに接続されている
ことを特徴とする故人データ管理システム。
【請求項２】
故人の生前におけるメッセージの映像データを管理する故人データ管理システムであって、
葬儀社に設置されており、会員に関する情報と、前記映像データがあるときはその旨の情報とが、それぞれ登録される会員管理サーバ，
システム管理者にオフライン設置されており、前記故人の生前におけるメッセージの映像データが保存されるデータ保存サーバ，
前記システム管理者に設置されており、葬儀の施行期間は前記葬儀社もアクセス可能であって、前記故人の生前におけるメッセージの映像データを撮影した会員の管理情報を保存するとともに、葬儀施行時に前記故人の生前におけるメッセージの映像データが前記データ保存サーバからアップロードされる個人情報サーバ，
を備え，
このアップロードされる個人情報サーバは、インターネットに接続され，
前記映像データがある旨の情報が前記会員管理サーバに登録されたときに、前記システム管理者が会員に対して送付する預かり証に、会員の名前，会員番号，撮影日，預かり日を記載した
ことを特徴とする故人データ管理システム。
【請求項３】
葬儀時に前記葬儀社に提供される記憶媒体及び／又は遺影写真であって、前記映像データを記録した記憶媒体及び／又は前記遺影データをプリントした遺影写真が収納されるキャビネット，
を、前記システム管理者に設置したことを特徴とする請求項１又は２記載の故人データ管理システム。
【請求項４】
前記映像データが保存されており、ＱＲコード（登録商標）によってアクセスして、前記データをダウンロードするためのサーバ，
を備えたことを特徴とする請求項１又は２記載の故人データ管理システム。
【請求項５】
前記ＱＲコードを会葬礼状に表示したことを特徴とする請求項４記載の故人データ管理システム。
【手続補正２】
【補正対象書類名】明細書
【補正対象項目名】０００６
【補正方法】変更
【補正の内容】
【０００６】
本発明は、故人の生前におけるメッセージの映像データを管理する故人データ管理システムであって、葬儀社に設置されており、会員に関する情報と、前記映像データがあるときはその旨の情報とが、それぞれ登録される会員管理サーバ，システム管理者にオフライン設置されており、前記故人の生前におけるメッセージの映像データが保存されるデータ保存サーバ，前記システム管理者に設置されており、葬儀の施行期間は前記葬儀社もアクセス可能であって、前記故人の生前におけるメッセージの映像データを撮影した会員の管理情報を保存するとともに、葬儀施行時に前記故人の生前におけるメッセージの映像データが前記データ保存サーバからアップロードされる個人情報サーバ，を備え，このアップロードされる個人情報サーバは、インターネットに接続されていることを特徴とする。
また、本発明は、故人の生前におけるメッセージの映像データを管理する故人データ管理システムであって、葬儀社に設置されており、会員に関する情報と、前記映像データがあるときはその旨の情報とが、それぞれ登録される会員管理サーバ，システム管理者にオフライン設置されており、前記故人の生前におけるメッセージの映像データが保存されるデータ保存サーバ，前記システム管理者に設置されており、葬儀の施行期間は前記葬儀社もアクセス可能であって、前記故人の生前におけるメッセージの映像データを撮影した会員の管理情報を保存するとともに、葬儀施行時に前記故人の生前におけるメッセージの映像データが前記データ保存サーバからアップロードされる個人情報サーバ，を備え，このアップロードされる個人情報サーバは、インターネットに接続され，前記映像データがある旨の情報が前記会員管理サーバに登録されたときに、前記システム管理者が会員に対して送付する預かり証に、会員の名前，会員番号，撮影日，預かり日を記載したことを特徴とする。
【手続補正３】
【補正対象書類名】明細書
【補正対象項目名】０００７
【補正方法】変更
【補正の内容】
【０００７】
主要な形態の一つは、葬儀時に前記葬儀社に提供される記憶媒体及び／又は遺影写真であって、前記映像データを記録した記憶媒体及び／又は前記遺影データをプリントした遺影写真が収納されるキャビネット，を、前記システム管理者に設置したことを特徴とする。他の形態によれば、前記映像データが保存されており、ＱＲコード（登録商標）によってアクセスして、前記データをダウンロードするためのサーバ，を備えたことを特徴とする。本発明の前記及び他の目的，特徴，利点は、以下の詳細な説明及び添付図面から明瞭になろう。
【手続補正書】
【提出日】令和2年6月10日(2020.6.10)
【手続補正１】
【補正対象書類名】特許請求の範囲
【補正対象項目名】全文
【補正方法】変更
【補正の内容】
【特許請求の範囲】
【請求項１】
故人の生前におけるメッセージの映像データを管理する故人データ管理システムであっ
て、
葬儀社に設置されており、会員に関する情報と、前記映像データがあるときはその旨の
情報とが、それぞれ登録される会員管理サーバ，
システム管理者にオフライン設置されており、前記故人の生前におけるメッセージの映
像データが保存されるデータ保存サーバ，
前記システム管理者に設置されており、葬儀の施行期間は前記葬儀社もアクセス可能で
あって、前記故人の生前におけるメッセージの映像データを撮影した会員の管理情報を保
存するとともに、葬儀施行時に前記故人の生前におけるメッセージの映像データが前記デ
ータ保存サーバからアップロードされる個人情報サーバ，
を備え，
このアップロードされる個人情報サーバは、インターネットに接続されている
ことを特徴とする故人データ管理システム。
【請求項２】
故人の生前におけるメッセージの映像データを管理する故人データ管理システムであ
って、
葬儀社に設置されており、会員に関する情報と、前記映像データがあるときはその旨の
情報とが、それぞれ登録される会員管理サーバ，
システム管理者にオフライン設置されており、前記故人の生前におけるメッセージの映
像データが保存されるデータ保存サーバ，
前記システム管理者に設置されており、葬儀の施行期間は前記葬儀社もアクセス可能で
あって、前記故人の生前におけるメッセージの映像データを撮影した会員の管理情報を保
存するとともに、葬儀施行時に前記故人の生前におけるメッセージの映像データが前記デ
ータ保存サーバからアップロードされる個人情報サーバ，
を備え，
このアップロードされる個人情報サーバは、インターネットに接続され，
前記映像データがある旨の情報が前記会員管理サーバに登録されたときに、前記シス
テム管理者が会員に対して送付する預かり証に、会員の名前，会員番号，撮影日，預かり
日を記載した
ことを特徴とする故人データ管理システム。
【請求項３】
葬儀時に前記葬儀社に提供される記憶媒体及び／又は遺影写真であって、前記映像データを記録した記憶媒体及び／又は遺影データをプリントした遺影写真が収納されるキャビネット，
を、前記システム管理者に設置したことを特徴とする請求項１又は２記載の故人データ管理システム。
【請求項４】
前記映像データが保存されており、ＱＲコード（登録商標）によってアクセスして、前
記映像データをダウンロードするためのサーバ，
を備えたことを特徴とする請求項１又は２記載の故人データ管理システム。
【請求項５】
前記ＱＲコードを会葬礼状に表示したことを特徴とする請求項４記載の故人データ管理
システム。
【手続補正２】
【補正対象書類名】明細書
【補正対象項目名】０００７
【補正方法】変更
【補正の内容】
【０００７】
主要な形態の一つは、葬儀時に前記葬儀社に提供される記憶媒体及び／又は遺影写真であって、前記映像データを記録した記憶媒体及び／又は遺影データをプリントした遺影写真が収納されるキャビネット，を、前記システム管理者に設置したことを特徴とする。他の形態によれば、前記映像データが保存されており、ＱＲコード（登録商標）によってアクセスして、前記映像データをダウンロードするためのサーバ，を備えたことを特徴とする。本発明の前記及び他の目的，特徴，利点は、以下の詳細な説明及び添付図面から明瞭になろう。